(57)【要約】      （修正有）【課題】避難場所まで確実に誘導することができるデータ構造、表示装置、及び案内図を提供する。【解決手段】地下鉄の案内データベースＤＢは、地下鉄の起点から終点までのステーションに関するステーション識別情報Ｊ１と、各ステーションにおける出口の位置を表す出口位置情報Ｊ２と、避難場所に関する避難場所情報Ｊ３と、出口から避難場所までの避難経路を表すルート情報Ｊ４と、を備える。ステーション識別情報Ｊ１は、駅ＩＤと駅名情報とを備える。出口位置情報Ｊ２は、各出口を特定するための出口ＩＤと出口名情報とを備える。避難場所情報Ｊ３は、避難場所ＩＤと各避難場所の位置を特定するための避難場所位置情報と、を備える。ルート情報Ｊ４は、ルートＩＤと表示順序情報と、を備える。ルートＩＤは、Ｒ１−１−１のように、出口ＩＤと避難場所ＩＤとが関連付けられている。【選択図】図４
2019215386.tif 000002
【特許請求の範囲】
【請求項１】
制御デバイスによって、所定のステーションから避難場所までの避難経路を表すルート情報を出力デバイスに表示するためのデータ構造であり、
前記ルート情報と関連付けられるとともに、前記ステーションに関するステーション情報と、
前記ルート情報と関連付けられるとともに、前記避難場所に関する避難場所情報と、を備え、
前記ルート情報は、
前記第１ステーションから避難場所までの避難経路を表す第１ルート情報と、
前記第２ステーションから避難場所までの避難経路を表す第２ルート情報と、を備え、
前記第１ルート情報及び前記第２ルート情報は、それぞれ、
人の視線からみた風景画像を表す風景画像情報と、
前記風景画像における前記避難経路を示すための経路表示情報と、を備え、
前記第１ステーション及び前記第２ステーションは、所定の移動経路から選択されたものであることを特徴とするデータ構造。
【請求項２】
前記ステーションは、鉄道の駅であることを特徴とする請求項１のデータ構造。
【請求項３】
請求項１または２記載のデータ構造を記憶するための記憶デバイスと、
所定の画像を表示する表示デバイスと、
各デバイスを制御する制御デバイスと、を備え、
前記制御デバイスは、前記記憶デバイスに格納された前記データ構造を前記出力デバイスに表示することを特徴とする表示装置。
【請求項４】
所定の情報を表示する表示部材と、
前記表示部材に表示されるとともに、所定のステーションから避難場所までの避難経路を表すルート情報と、を備え、
前記ルート情報は、
前記第１ステーションから避難場所までの避難経路を表す第１ルート表示情報と、
前記第２ステーションから避難場所までの避難経路を表す第２ルート表示情報と、を備え、
前記第１ルート情報及び前記第２ルート情報は、それぞれ、
人の視線からみた風景画像を表す風景画像情報と、
前記風景画像における前記避難経路を示すための経路表示識別子と、を備え、
前記第１ステーション及び前記第２ステーションは、所定の移動経路上から選択されたものであることを特徴とする案内図。
【請求項５】
前記ステーションは、鉄道の駅であることを特徴とする請求項４記載の案内図。
【発明の詳細な説明】
【技術分野】
【０００１】
本発明は、データ構造、表示装置及び案内図に関する。
【背景技術】
【０００２】
東日本震災等の大規模な災害が発生すると、公共交通機関が使用不能となる。したがって、通勤中に災害が発生した場合には、徒歩による帰宅を余儀なくされる。こうした事情を鑑みて、災害時に利用可能な帰宅支援地図が開示されている（例えば、特許文献１）。
【先行技術文献】
【特許文献】
【０００３】
【特許文献１】特開2008-51902号公報
【発明の概要】
【発明が解決しようとする課題】
【０００４】
しかしながら、災害発生時において、現在地から自宅までの経路が必ずしも安全であるとは限らない。災害時における安全確保を考慮すると、必ずしも帰宅が最良の選択肢になるとは限られず、むしろ、最寄りの避難場所へ移動したほうが良い場合もある。したがって、災害時における安全確保の点から見た場合、特許文献１のような帰宅支援地図が最良のものとは言えない。
【０００５】
公共交通機関の利用中に災害が発生した際、普段乗り降りする駅ではなく、なじみのない駅の近くにいることの方が多い。かかる事態においては、なじみのない駅で下車させられることも多い。しかしながら、当該駅において、最寄りの避難場所はもちろんのこと、避難場所までの避難ルートを特定することは非常に困難である。
【０００６】
また、最寄りの避難場所を特定できたとしても、そこまでの避難ルートを把握し、ルート通りに移動することにも一定の困難性がある。なぜならば。多くの場合、避難場所までの案内図は、地図のように上空から見たものとなっている。このため、子供や高齢者等のように地図が苦手な者にとっては、従来の避難ルートを把握しにくく、結果として、ルート通りに移動することが非常に困難なものとなっている。また、地図の読み方が得意な者であっても、なじみのない場所において、避難ルートを把握し、避難ルート通りに移動することも、やはり一定の困難性がある。
【０００７】
本発明は、斯かる実情に鑑み、避難場所まで確実に誘導することができるデータ構造、表示装置、及び案内図を提供しようとするものである。
【課題を解決するための手段】
【０００８】
本発明は、制御デバイスによって、所定のステーションから避難場所までの避難経路を表すルート情報を出力デバイスに表示するためのデータ構造であり、前記ルート情報と関連付けられるとともに、前記ステーションに関するステーション情報と、前記ルート情報と関連付けられるとともに、前記避難場所に関する避難場所情報と、を備え、前記ルート情報は、前記第１ステーションから避難場所までの避難経路を表す第１ルート情報と、前記第２ステーションから避難場所までの避難経路を表す第２ルート情報と、を備え、前記第１ルート情報及び前記第２ルート情報は、それぞれ、人の視線からみた風景画像を表す風景画像情報と、前記風景画像における前記避難経路を示すための経路表示情報と、を備え、前記第１ステーション及び前記第２ステーションは、所定の移動経路から選択されたものであることを特徴とする。
【０００９】
本発明の表示装置は、上記のデータ構造を記憶するための記憶デバイスと、所定の画像を表示する表示デバイスと、各デバイスを制御する制御デバイスと、を備え、前記制御デバイスは、前記記憶デバイスに格納された前記データ構造を前記出力デバイスに表示することを特徴とする。
【００１０】
本発明の案内図は、所定の情報を表示する表示部材と、前記表示部材に表示されるとともに、所定のステーションから避難場所までの避難経路を表すルート情報と、を備え、前記ルート情報は、前記第１ステーションから避難場所までの避難経路を表す第１ルート表示情報と、前記第２ステーションから避難場所までの避難経路を表す第２ルート表示情報と、を備え、前記第１ルート情報及び前記第２ルート情報は、それぞれ、人の視線からみた風景画像を表す風景画像情報と、前記風景画像における前記避難経路を示すための経路表示識別子と、を備え、前記第１ステーション及び前記第２ステーションは、所定の移動経路上から選択されたものであることを特徴とする。
【発明の効果】
【００１１】
本発明によれば、避難場所まで確実に誘導することができるデータ構造、表示装置、及び案内図を提供することができる。
【図面の簡単な説明】
【００１２】
【図１】本発明の概要を示す説明図である。
【図２】表示装置の概要を示すハードウェア構成図である。
【図３】表示装置の概要を示す機能ブロック図である。
【図４】案内データベースの概要を示すものである。
【図５】案内データベースに含まれる各要素（駅、出口、避難場所、避難経路等）のＩＤを示す説明図である。
【図６】表示装置の出力デバイスに表示された表示順序情報の一例を説明する説明図である。
【図７】案内プログラムの概要を示すフロー図である。
【発明を実施するための形態】
【００１３】
図１〜２に示すように、表示装置２０は、いわゆる携帯電話、スマートフォンやタブレットＰＣといった携帯端末であり、所定のアプリケーションソフト上において、特定の画像が表示できるものである。このため、ユーザは、表示装置２０を介して、第１通信回線１１を介して、他の情報端末のユーザとコミュニケーションを図るとともに、第２通信回線１２及びＧＰＳ衛星１３を介して表示装置２０の現在位置を把握することができる。
【００１４】
表示装置２０は、ＣＰＵ２１と、記憶デバイス２２と、入力デバイス２３と、出力デバイス２４と、通信デバイス２５と、各デバイスを一体的に接続して通信を行う配線となるバス２９と、を備える。
【００１５】
ＣＰＵ２１は、いわゆる中央演算処理装置であり、各種プログラムが実行されてデータ授受に関する各種サービスを実現する。
【００１６】
記憶デバイス２２は、メモリ群２２Ａと、外部記憶デバイス２２Ｂとを備える。メモリ群２２Ａは、ＲＡＭ（ランダム・アクセス・メモリ）と、ＲＯＭ（リード・オンリー・メモリ）と、を備える。メモリ群２２Ａは、ＣＰＵ２１で実行される基本ＯＳや所定のプログラム（例えば、案内プログラム）を記憶する。外部記憶デバイス２２Ｂは、各種データベースや各種プログラムの演算結果などを記憶するものであり、内蔵型の記憶装置（例えば、ハードディスクドライブ）、着脱可能な記憶装置（例えば、メモリーカード等）がある。外部記憶デバイス２２Ｂには、所定のプログラムに関する各種データや演算結果等が記憶されている。
【００１７】
出力デバイス２４は、ＣＰＵ２１の演算結果や各種動作状態等について、ユーザや外部装置に対して所定の情報を通知するものであり、ユーザに対し所定の映像を出力するディスプレイや、ユーザに対し所定の通知音や音声を出力可能なスピーカ等を備える。
【００１８】
入力デバイス２３は、ＣＰＵ２１への演算命令など各種情報を入力するためのものであり、出力デバイス２４と連動するタッチパネルや、外部の音声を検出するマイクを備える。なお、入力デバイス２３としては、入力キー、キーボードやマウス等を備えていてもよい。
【００１９】
通信デバイス２５は、第１通信回線１１（例えば、電話通信回線）及び第２通信回線１２との通信を行う。これにより、表示装置２０は、第１通信回線１１を介して、他の情報端末と通信可能となっている。さらに、表示装置２０は、第２通信回線１２を介して、ＧＰＳ衛星１３との通信が可能となる。
【００２０】
メモリ群２２Ａに記憶された基本ＯＳや各種プログラムがＣＰＵ２１によって実行されると、図３に示すように、ＣＰＵ２１は、表示装置２０自身の位置を特定する処理を行う位置特定部２１Ｐと、位置特定部２１Ｐの処理結果に応じてルートを特定するルート特定部２１Ｒと、ルート特定部２１Ｒの処理結果に応じて、画像を要求する表示要求部２１Ｄと、表示装置２０自身の位置に応じた画像を要求する表示要求部２１Ｄと、各部を制御する制御部２１Ｃとして機能する。
【００２１】
記憶デバイス２２には、地下鉄Ａ、地下鉄Ｂ、鉄道Ｃ、鉄道Ｄといった各種鉄道や地下鉄ごとの案内データベースを備える。
【００２２】
この案内データベースについて、地下鉄Ａを例に挙げて説明する。図４〜５に示すように、地下鉄Ａの案内データベースＤＢは、地下鉄Ａの起点から終点までのステーションに関するステーション識別情報Ｊ１と、各ステーションにおける出口の位置を表す出口位置情報Ｊ２と、避難場所に関する避難場所情報Ｊ３と、出口から避難場所までの避難経路を表すルート情報Ｊ４と、を備える。
【００２３】
ステーション識別情報Ｊ１は、各駅を特定するための駅ＩＤと、渋谷駅、表参道駅、青山一丁目駅、・・・、錦糸町駅、押上駅等のような各駅の名前を示す駅名情報と、各駅の位置を特定するためのステーション位置情報と、を備える。駅ＩＤは、ＳＴｎ１（ｎ１＝１，２，３・・・）と表されるものであり、例えば、渋谷駅はＳＴ１、表参道駅はＳＴ２、青山一丁目駅はＳＴ３、・・・のように駅ごとの固有の番号が割り振られている。ステーション位置情報は、ＧＰＳ衛星１３から読み取った位置情報に基づいて、現在地から最寄りの駅が特定できる座標情報を備える。
【００２４】
出口位置情報Ｊ２は、各出口を特定するための出口ＩＤと、渋谷駅１番出口、渋谷駅２番出口といった出口の名前を示す出口名情報と、各出口の位置を特定するための出口位置情報と、を備える。出口ＩＤは、ＥＸｎ１−ｎ２（ｎ２＝１，２，３・・・）のように、駅ＩＤと出口の番号とが関連付けられている。例えば、渋谷駅の１番出口はＥＸ１−１、渋谷駅の２番出口、３番出口であれば、それぞれ、ＥＸ１−２、ＥＸ１−３のようになっている。出口位置情報は、ＧＰＳ衛星１３から読み取った位置情報に基づいて、現在地から最寄りの出口が特定できる座標情報を備える。
【００２５】
避難場所情報Ｊ３は、各避難場所を特定するための避難場所ＩＤと、○○公園、△×スポーツセンターといった避難場所の名前を示す避難場所名情報と、各避難場所の位置を特定するための避難場所位置情報と、を備える。避難場所ＩＤは、ＳＨｎ３（ｎ３＝１，２，３・・・）と表されるものであり、例えば、○○公園はＳＨ１、△×スポーツセンターはＳＨ２・・・のように割り振られている。避難場所位置情報は、ＧＰＳ衛星１３から読み取った位置情報に基づいて、最寄りの避難場所が特定できる座標情報を備える。
【００２６】
ルート情報Ｊ４は、避難経路を特定するためのルートＩＤと、ルート名情報と、表示順序情報と、を備える。ルートＩＤは、Ｒ（ｎ１−ｎ２−ｎ３）のように、出口ＩＤと避難場所ＩＤとが関連付けられている。例えば、渋谷駅１番出口（出口ＩＤ：ＥＸ１−１）から○○公園（避難場所ＩＤ：ＳＨ１）までの案内情報であればＲ１−１−１と、渋谷駅２番出口（出口ＩＤ：ＥＸ１−２）から○○公園（避難場所ＩＤ：ＳＨ１）までの案内情報であればＲ１−２−１のように表される。ルート名情報は、「渋谷駅１番出口から○○公園までの案内情報」や「渋谷駅２番出口から○○公園までの案内情報」といったそれぞれの避難経路の名称を示す。
【００２７】
表示順序情報は、所定の避難経路上に設定された地点に関する情報の表示順序を表すものであり、Ｇ（ｎ１−ｎ２−ｎ３−ｎ４）のように、ルートＩＤと表示順序ｎ４（ｎ４＝１，２，３・・・）とが関連付けられている。表示順序情報には、地点名称を表す地点名情報と、風景画像情報と、経路表示情報と、地点位置情報と、が関連付けられている。図６に示すように、地点名情報Ｊ１０は、出口名称（渋谷駅１番出口等）、交差点名（○○交差点、○◇交差点等）や観光名称等のように当該地点の名称を示すものである。風景画像情報Ｊ２０は、人の視線からみた風景画像を表すものである。なお、風景画像情報Ｊ２０としては、地上から立った姿勢における風景画像であることが好ましい。風景画像としては、写真でもよいし、イラストでもよい。また、経路表示情報Ｊ３０は、風景画像における避難経路を表す識別子であり、例えば、前進、右折、左折を表す矢印等を用いることができる。また、図６に示すように、表示順序情報として、避難場所名情報Ｊ６０（例えば、〇〇公園）や、選択されたルート情報Ｊ４に関する地点名情報を表示順序に従って並べて表示してもよいし、現在の地点名情報を示す現在地点名情報Ｊ７０を表示してもよい。
【００２８】
次に、本発明の作用について説明する。
【００２９】
ユーザによる所定の操作によって、案内プログラムが起動すると、位置特定部２１Ｐは、ＧＰＳ衛星１３からの信号を読み取って、現在位置を特定する（図７のＳ１１０）。さらに、位置特定部２１Ｐは、現在位置に基づいて最寄りの出口（例えば、渋谷駅の１番出口）を特定する（Ｓ１２０）。ルート特定部２１Ｒは、特定された出口（例えば、渋谷駅の１番出口）に基づいて、記憶デバイス２２から、当該出口から最寄りの避難場所までのルート情報（ルートＩＤ＝Ｒ１−１−１）を割り出す（Ｓ１３０）。さらに、表示要求部２１Ｄは、割り出されたルート情報に基づいて、ルートＩＤがＧ１−１−１−１の表示順序情報（図６（Ａ））を出力デバイス２４へ表示する（Ｓ１４０）。このとき、ユーザからによる操作、すなわち、入力デバイスからのセンシング信号の入力を契機に、Ｇ１−１−１−２の表示順序情報（図６（Ｂ））、Ｇ１−１−１−３の表示順序情報（図６（Ｃ））・・・のように、表示を更新する一方、センシング信号の入力が無い場合には、表示の更新を行わない、としてもよい（Ｓ１５０〜Ｓ１６０）。
【００３０】
このように、本発明によれば、現在位置から、最寄りの避難場所までの避難経路を、人の視線からみた風景画像と、矢印のような経路表示情報で表すため、地図の読みにくい者や、その土地に明るくない者にとっても、確実に避難経路をたどることができる。したがって、最寄りの避難場所まで確実に誘導することができる。
【００３１】
このような案内データベースは、表示装置２０の記憶デバイス２２に格納されている。このため、第１通信回線１１を介した通信を行うことができない場合であっても、ユーザは、案内データベースを利用することができる。また、このような案内データベースには、駅、出口、避難場所や地点に関する名称情報が含まれており、適宜、出力デバイス２４へ出力することも可能である。このため、ＧＰＳ衛星との通信が途絶えた場合であっても、現地の看板などを頼りにして利用することができる。
【００３２】
このような案内データベースは、複数の鉄道や地下鉄等に関する情報を一括して格納してもよいし、路線ごとに分けて格納してもよい。また、同一の路線であっても、起点から終点からまで所定数で分割して格納してもよい。
【００３３】
上記実施形態のＳ１５０〜Ｓ１６０では、ユーザからによる操作に基づいて、表示順序情報の表示を制御するとしたが、本発明はこれに限られない。例えば、位置特定部２１Ｐは、ＧＰＳ衛星１３からの信号を読み取って、現在位置を特定し、表示要求部２１Ｄは、特定された現在位置と地点位置情報に基づいて、最寄りの地点位置に関する表示順序情報を表示するとしてもよい。
【００３４】
上記実施形態では、ルート情報Ｊ４として、所定の出口から最寄りの避難場所までの避難経路として説明したが、本発明は、最寄りの避難場所に限られず、所定の出口から近所の避難場所としてもよい。したがって、用いるルート情報Ｊ４としては、最寄りの避難場所に関するルート情報Ｊ４（例えば、Ｒ１−２−１）に代えて、近所の避難場所のルート情報Ｊ４（例えば、Ｒ１−２−２）を用いてもよいし、これらを併用してもよい。
【００３５】
このような案内データベースは、複数の鉄道や地下鉄等に関する情報を一括して格納してもよいし、路線ごとに分けて格納してもよい。また、同一の路線であっても、起点から終点からまで所定数で分割して格納してもよい。
【００３６】
上記実施形態では、携帯端末において、案内プログラムを起動させたが本発明はこれに限られない。例えば、図６（Ａ）〜（Ｃ）に示すような表示順序情報（例えば、地点名と、風景画像と、経路表示識別子等）が表示された紙製のシートを用いてもよい。この場合において、デスクトップＰＣや携帯端末において案内プログラムを起動し、案内データベースＤＢの中から選択された所定の情報を、出力デバイスであるプリンターを介してシートへ印刷してもよい。ここで、情報の選択の仕方としては、路線ごとに選択されていることが良い。また、１枚のシートに、１つの地点における表示順序情報が表示されていることが好ましい。当該シートは、表示順序情報に基づいて並べられ、あるいは重ねられているとよい。さらに、当該シートは、複数の路線がまとまっていてもよいし、路線ごとに分けてられていてもよい。また、同一の路線であっても、起点から終点からまで所定数で分割されていてもよい。これにより、ユーザは、自分の移動ルート（通勤ルートや通学ルート）ごとに必要な路線のみ利用することができる。このようなシートは案内図として利用可能である。
【００３７】
上記実施形態では、鉄道の駅ごとに、ルート情報を作成したが本発明はこれに限られず、本発明の趣旨を逸脱しない程度であれば、バスの停留所など所定の移動経路上に設定されたステーションであってもよい。
【００３８】
尚、本発明は、上記した実施の形態に限定されるものではなく、本発明の要旨を逸脱しない範囲内において種々変更を加え得ることは勿論である。
【符号の説明】
【００３９】
１１   第１通信回線
１２   第２通信回線
１３   ＧＰＳ衛星
２０   表示装置
２１   ＣＰＵ
２１Ｃ 制御部
２１Ｄ 表示要求部
２１Ｐ 位置特定部
２１Ｒ ルート特定部
２２   記憶デバイス
２２Ａ メモリ群
２２Ｂ 外部記憶デバイス
２３   入力デバイス
２４   出力デバイス
２５   通信デバイス
Ｊ１   ステーション識別情報
Ｊ２   出口位置情報
Ｊ３   避難場所情報
Ｊ４   ルート情報
Ｊ１０ 地点名情報
Ｊ２０ 風景画像情報
Ｊ３０ 経路表示情報
Ｊ６０ 避難場所名情報
Ｊ７０ 現在地点名情報
【図１】
2019215386.tif 000003
【図２】
2019215386.tif 000004
【図３】
2019215386.tif 000005
【図４】
2019215386.tif 000006
【図５】
2019215386.tif 000007
【図６】
2019215386.tif 000008
【図７】
2019215386.tif 000009